(57)【要約】      （修正有）【課題】ＲＯＳのシフト量を高精度で検知できることが可能な画像形成装置装置およびそのＲＯＳシフト検知方法を提供する。【解決手段】感光ベルト３を透過してくるＲＯＳ７のレーザー光１０を受光できる位置にレーザー光１０の位置を検出する検出部８を配置し、検出部が検出したレーザー光１０に基づいてロスのシフト量を算出し、算出したロスのシフト量を補正するための補正情報を生成し、生成した補正情報を画像印字装置に送信し、補正情報を元にＲＯＳ７に送るべきレーザー光１０の出力のタイミングを補正することにより、ＲＯＳ７のシフトによるレジストレーション誤差を補正することができる。【選択図】図１
2007316129.tif 000002
【特許請求の範囲】
【請求項１】
レーザー光を走査しながら感光ベルトに照射する露光手段と、画像データに基づいて該露光手段が行うレーザー光の走査を制御する制御手段とを具備する画像形成装置において、
前記感光ベルトを透過した前記露光手段から出力されたレーザー光の透過光を受光できる位置に配置され、該透過光を検出する検出手段と、
前記検出手段が検出した透過光に基づいて前記露光手段のシフト量を検知し、該シフト量を補正するための補正情報を生成する補正情報生成手段と
を具備し、
前記制御手段は、
前記補正情報生成手段で生成した補正情報に基づき、前記露光手段が行うレーザー光の走査を制御する
ことを特徴とする画像形成装置。
【請求項２】
レーザー光を走査しながら感光ベルトに照射する露光手段と、画像データに基づいて該露光手段が行うレーザー光の走査を制御する制御手段とを具備する画像形成装置のＲＯＳシフト検知方法において、
前記感光ベルトを透過する前記露光手段から出力されたレーザー光の透過光を受光できる位置に検出手段を配置し、
前記検出手段が前記透過光を検出し、
前記検出した透過光に基づき、前記露光手段のシフト量を検知し、
補正情報生成手段が前記検知したシフト量を補正するための補正情報を生成し、
前記制御手段が前記生成した補正情報に基づき、前記露光手段が行うレーザー光の走査を制御する
ことを特徴とする画像形成装置のＲＯＳシフト検知方法。
【発明の詳細な説明】
【技術分野】
【０００１】
本発明は、画像形成装置装置およびそのＲＯＳシフト検知方法に関し、特に、電子写真方式で用いられるＲＯＳのシフトを検知する画像形成装置装置およびそのＲＯＳシフト検知方法に関する。
【背景技術】
【０００２】
従来、カラープリンタで用いられる電子写真方式の１つとして、ＲＯＳ［Raster Optical Scanner］からの書き込み光で、感光ベルト上に静電潜像を形成し、形成された静電潜像をトナーで現像し、感光ベルト上にトナー像を形成する方式がある。
【０００３】
このような方式を用いることで発生するＲＯＳのシフト等によるレジストレーション誤差を補正するために、ＲＯＳのシフトを正確に検知する必要がある。
【０００４】
例えば、ＲＯＳの内部にレーザーセンシング装置を装備し、ＲＯＳのシフトを検知する光ビーム走査装置がある（例えば、特許文献１参照。）。
【特許文献１】特開２０００−１３７１８６号公報
【発明の開示】
【発明が解決しようとする課題】
【０００５】
しかし、特許文献１に記載の技術では、実際の印字する箇所のシフト量を見ているわけではないので、若干のずれが生じてしまう。
【０００６】
また、感光ベルトの両端にセンサを設置してＲＯＳのシフト量を検知することもできるが、感光ベルトの端ではＲＯＳとの距離が長くなるため、ＲＯＳのレーザが弱くなってしまい、ＲＯＳのシフト量を高精度に検知することは困難である。
【０００７】
そこで、本発明は、ＲＯＳのシフト量を高精度で検知できることが可能な画像形成装置装置およびそのＲＯＳシフト検知方法を提供することを目的とする。
【課題を解決するための手段】
【０００８】
上記目的を達成するため、請求項１の発明は、レーザー光を走査しながら感光ベルトに照射する露光手段と、画像データに基づいて該露光手段が行うレーザー光の走査を制御する制御手段とを具備する画像形成装置において、前記感光ベルトを透過した前記露光手段から出力されたレーザー光の透過光を受光できる位置に配置され、該透過光を検出する検出手段と、前記検出手段が検出した透過光に基づいて前記露光手段のシフト量を検知し、該シフト量を補正するための補正情報を生成する補正情報生成手段とを具備し、前記制御手段は、前記補正情報生成手段で生成した補正情報に基づき、前記露光手段が行うレーザー光の走査を制御することを特徴とする。
【０００９】
また、請求項２の発明は、レーザー光を走査しながら感光ベルトに照射する露光手段と、画像データに基づいて該露光手段が行うレーザー光の走査を制御する制御手段とを具備する画像形成装置のＲＯＳシフト検知方法において、前記感光ベルトを透過する前記露光手段から出力されたレーザー光の透過光を受光できる位置に検出手段を配置し、前記検出手段が前記透過光を検出し、前記検出した透過光に基づき、前記露光手段のシフト量を検知し、補正情報生成手段が前記検知したシフト量を補正するための補正情報を生成し、前記制御手段が前記生成した補正情報に基づき、前記露光手段が行うレーザー光の走査を制御することを特徴とする。
【発明の効果】
【００１０】
本発明によれば、実際に印字する箇所でＲＯＳのシフトを検知することにより、高精度なＲＯＳシフトの検知が可能になるという効果を奏する。
【発明を実施するための最良の形態】
【００１１】
以下、本発明に係る画像形成装置装置およびそのＲＯＳシフト検知方法の実施の形態について添付図面を参照して詳細に説明する。
【００１２】
図１は、本発明に係る画像形成装置内における画像形成部１の概略構成の一例を示す図である。この画像形成装置は、ゼログラフィー方式によって記録紙に画像形成するようになっている。
【００１３】
画像形成装置には、ローラ２１、２２、２３が設けられ、ローラ２１、２２、２３の間に無端の感光ベルト３が巻き掛けられており、矢印Ａ方向へ回転駆動されるようになっている。この感光ベルト３は、外周面が感光性導電体等によって形成され、感光ベルト３の周囲には、感光ベルト３の表面に静電潜像を形成した後に、この静電潜像に応じたトナー画像を形成し、トナー画像を記録紙４に転写することにより、記録紙に画像を形成する画像形成プロセスが設けられている。
【００１４】
即ち、画像形成装置には、ローラ２２、２３に対向する位置に転写部５が形成されている。記録紙４は、感光ベルト３の駆動に同期されて、ローラ２２側から、ローラ２３の間で感光ベルト３に対向するように矢印Ｂ方向に沿って送り込まれる。これにより、記録紙４が転写部５を通過するときに、感光ベルト３に形成されているトナー画像が転写される。
【００１５】
図１に示すように、感光ベルト３の周囲には画像印字制御部６、ＲＯＳ７、検出部８、補正情報生成部９が配置されている。
【００１６】
画像印字制御部６は、入力されてきた画像データに基づいてＲＯＳ７が行うレーザ光１０の走査を制御する。
【００１７】
ＲＯＳ７は、入力される画像データに応じてレーザー光１０等の光ビームを走査しながら感光ベルト３に照射する。これにより、感光ベルト３には画像データに応じた静電潜像が形成される。
【００１８】
そして、図１に示すように、感光ベルト３を透過してくるＲＯＳ７のレーザー光１０を受光できる位置にレーザー光１０の位置を検出する検出部８が配置されている。
【００１９】
補正情報生成部９は、検出部８が検出したレーザー光１０に基づいてＲＯＳ７のシフト量を算出し、算出したＲＯＳ７のシフト量を補正するための補正情報を生成し、生成した補正情報を画像印字制御部６に送信する。
【００２０】
画像印字制御部６は、補正情報生成部９から受信した補正情報を元にＲＯＳ７に送るべきレーザー光の出力のタイミングを補正することにより、ＲＯＳ７のシフトによるレジストレーション誤差を補正することができる。
【００２１】
この画像形成装置においてレーザーから出力されるレーザー光１０は感光ベルト３を透過することにより減衰するとともに、拡散するため、検出部８に到達するまでに減衰してしまう。しかし、検出部８で受光信号を補正することにより、レーザー光１０の位置情報を平坦化することができる。
【００２２】
なお、平坦化処理の一例としては、通常のレベルコンバータの出力では全く読み取ることができない。しかし、様々な動作を加味した周期による平均化（例えば、ＲＯＳ７の周期が５０ｍｓの時、この周期に合わせる等）をすることにより拡散部分の値が平均化され、その結果、感光ベルト３の透過による減衰の影響を絞り込むことができる。
【００２３】
その結果、通常の出力よりも目減りするものの、ＲＯＳ７のシフトに関して監視することは可能である。
【００２４】
本発明は、上記し、且つ図面に示した実施例に限定することなく、その要旨を変更しない範囲内で適宜変形して実施できるものである。
【図面の簡単な説明】
【００２５】
【図１】本発明に係る画像形成装置内における画像形成部の概略構成の一例を示す図である。
【符号の説明】
【００２６】
１    画像形成部
２１、２２、２３    ローラ
３    感光ベルト
４    記録紙
５    転写部
６    画像印字制御部
７    ＲＯＳ
８    検出部
９    補正情報生成部
１０    レーザー光
【図１】
2007316129.tif 000003